(57)【要約】【課題】  ポンプ付きボトルにおいて、ポンプのノズル口延長用の延長ノズル片を、ボトルに出し入れ自在に付帯させることにより、ノズル口延長のための構造を簡単とすると共に、延長ノズル片を他の物品に干渉しない状態で格納することを目的とする。【解決手段】  ノズルヘッド１３を有するポンプ１１を組付けたボトル１の胴部４外表面に、ノズル口１４に着脱される延長ノズル片１５を収納する収納凹部５と浅い流下溝７を設け、収納凹部５を覆って貼着されたラベル１６の一部に、開口部を形成するミシン目１７を設けて、延長ノズル片１５をボトル１に出し入れ自在に付帯させる。【選択図】  図６
2010105720.tif 000002
【特許請求の範囲】
【請求項１】
ノズルヘッドを有するポンプを組付けたボトルの胴部外表面に、前記ノズルヘッドのノズル口に着脱される延長ノズル片を収納する収納凹部を設けると共に、該収納凹部の下端からボトルの底部にかけて、浅い流下溝を設け、前記延長ノズル片を収納した収納凹部を覆ってラベルを貼着し、該ラベルの一部に、前記延長ノズル片を出し入れするための開口部を形成する破断線を設けて成るポンプ付きボトル。
【請求項２】
破断線を、残存したラベルにより、収納凹部に挿入された延長ノズル片を保持させる構造とした請求項１に記載のポンプ付きボトル。
【請求項３】
収納凹部を、上端を上方に開放した縦長溝状とした請求項１または２に記載のポンプ付きボトル。
【請求項４】
収納凹部を、両側に取出し用凹部を有する構造とした請求項１または２に記載のポンプ付きボトル。
【請求項５】
ラベルをシュリンクラベルとし、ボトルの口筒部に設けたネックリングから胴部下端の縮径部までの範囲に貼着した請求項１〜４のいずれか１項に記載のポンプ付きボトル。
【請求項６】
ラベルをラベルシールとし、収納凹部の全域を覆って接着固定した請求項１〜４のいずれか１項に記載のポンプ付きボトル。
【発明の詳細な説明】
【技術分野】
【０００１】
本発明は、組付けたポンプのノズル口に着脱して、このノズル口を延長する延長ノズル片を付帯したポンプ付きボトルに関するものである。
【背景技術】
【０００２】
組付けたポンプのノズル口を延長する従来技術として、伸縮自在のロングノズルを、ポンプのノズルヘッドのノズル口に折れ曲げ可能に連結し、使用時には、ロングノズルを立ち上げてノズル口を延長し、非使用時には、ロングノズルをボトルの外表面に沿わせる姿勢に折り畳んで収納するものが知られている。
【特許文献１】特開２００３−１３７３７１号公報
【０００３】
この従来技術は、ロングノズルをコンパクトに納めることができるので、格納取扱い時に、ロングノズルの邪魔となることが少なく、かつ簡単な操作でノズル口の延長が達成できる、と云う利点がある。
【発明の開示】
【発明が解決しようとする課題】
【０００４】
しかしながら、上記した従来技術にあっては、ノズルヘッドのノズル口に対するロングノズルの、折り畳み可能な連結に、複雑な構成を必要とするので、その実施に大きい経費を要し、また内容液の吐出は、必ずロングノズルを用いることになるので、内容液の吐出使用形態が限定されてしまう、と云う問題があった。
【０００５】
また、ノズル口に連結されたロングノズルは、折り畳み姿勢で収納されているとは云え、ボトル外に位置しているので、格納取扱い時に、このボトル外に位置したロングノズルが、他の物品に引っ掛かったり突き当たったりするのを無くすことはできず、このため格納および取扱いが必ずしも満足できるものではない、と云う問題があった。
【０００６】
そこで、本発明は、上記した従来技術における問題点を解消すべく創案されたもので、ポンプ付きボトルにおいて、ポンプのノズル口延長用の延長ノズル片を、ボトルに出し入れ自在に付帯させることを技術的課題とし、もってノズル口延長のための構造を簡単とすると共に、延長ノズル片を他の物品に干渉しない状態で格納することを目的とする。
【課題を解決するための手段】
【０００７】
本発明の主たる構成は、ノズルヘッドを有するポンプを組付けたボトルの胴部外表面に、ノズルヘッドのノズル口に着脱される延長ノズル片を収納する収納凹部を設けると共に、この収納凹部の下端からボトルの底部にかけて、浅い流下溝を設ける、ことにある。
【０００８】
そして、延長ノズル片を収納した収納凹部を覆ってラベルを貼着し、このラベルの一部に、延長ノズル片を出し入れするための開口部を形成する破断線を設ける、ことにある。
【０００９】
ポンプ付きボトルが消費者の手元に届くまでは、延長ノズル片は、ラベルで覆われた状態で、収納凹部内に、妄りに脱落することなく、確実にかつ安全に収納保持される。
【００１０】
延長ノズル片を取付けてポンプ付きボトルを使用する際には、ラベルの一部を破断線に沿って破断除去して、収納凹部を開放して延長ノズル片を取出し、この取出した延長ノズル片をノズルヘッドのノズル口に嵌着する。
【００１１】
延長ノズル片を使用しない場合は、ノズルヘッドのノズル口から取外した延長ノズル片を、一部開放された状態でラベルで覆われている収納凹部に挿入収納することにより、延長ノズル片をボトル１と一体的に保持することができる。
【００１２】
ポンプのノズルヘッドのノズル口に対して、着脱自在に構成された延長ノズル片は、その基端部を、ノズル口に嵌め込み可能とするだけでよく、ノズル口との連結に複雑な構造を要することがない。
【００１３】
また、延長ノズル片は、必要に応じてノズル口に装着すればよいので、内容液の吐出形態に応じて、延長ノズル片の使用、非使用を自由に選択する。
【００１４】
延長ノズル片は、ボトルの胴部外表面に陥没状に形成された収納凹部に、その全体を挿入保持されるので、ボトルの胴部外表面から突出することがなく、このため収納保持状態で、他の物品に引っ掛かったり、突き当たったりしない。
【００１５】
流下溝は、収納凹部の下端からボトルの底部にかけて設けられているので、収納凹部を覆って設けられているラベルに対し、このラベルの下端から必ず露出することになり、このため風呂場など、水かぶりのある場所で使用する場合、収納凹部に水が浸入しても、浸入した水は、ラベルに邪魔されることなく流下溝を通って流下し、収納凹部から排出される。
【００１６】
本発明の別の構成は、上記した主たる構成に加えて、破断線を、残存したラベルにより、収納凹部に挿入された延長ノズル片を保持させる構造とした、ものである。
【００１７】
破断線を、残存したラベルにより延長ノズル片を保持させる構造としたものにあっては、使用後の延長ノズル片を、ボトルの胴部外表面から突出させることなく、一体的に収納保持することになる。
【００１８】
また、本発明の別の構成は、上記した主たる構成に加えて、収納凹部を、上端を上方に開放した縦長溝状とした、ものである。
【００１９】
収納凹部を、上端を上方に開放した縦長溝状としたものにあっては、この収納凹部の上端開放部を、収納凹部に対する延長ノズル片の出し入れ口として機能させることができる。
【００２０】
また、本発明の別の構成は、上記した主たる構成に加えて、収納凹部を、両側に取出し用凹部を有する構造とした、ものである。
【００２１】
収納凹部を、両側に取出し用凹部を有する構造としたものにあっては、取出し用凹部に指先を侵入させて、収納凹部内の延長ノズル片を摘むことにより、収納凹部内から延長ノズル片を取出す。
【００２２】
また、本発明の別の構成は、上記した主たる構成に加えて、ラベルをシュリンクラベルとし、ボトルの口筒部に設けたネックリングから胴部下端の縮径部までの範囲に貼着した、ものである。
【００２３】
ラベルをシュリンクラベルとし、ボトルの口筒部に設けたネックリングから胴部下端の縮径部までの範囲に貼着したものにあっては、ボトルの胴部外表面形状に影響されることなく、収納凹部に延長ノズル片を、安定して収納保持することができる。
【００２４】
また、本発明の別の構成は、上記した主たる構成に加えて、ラベルをラベルシールとし、収納凹部の全域を覆って接着固定した、ものである。
【００２５】
ラベルをラベルシールとし、収納凹部の全域を覆って接着固定したものにあっては、ボトルの胴部外表面に対する、ラベルの装着範囲を自由に設定することができる。
【発明の効果】
【００２６】
本発明は、上記した構成となっているので、以下に示す効果を奏する。
本発明にあっては、ポンプのノズルヘッドのノズル口と延長ノズル片の連結に複雑な構造を要することがないので、簡単な構造とすることができる。
【００２７】
また、延長ノズル片の使用、非使用を自由に選択することができるので、適正な内容液の使用状況を得ることができる。
【００２８】
さらに、収納保持状態の延長ノズル片は、ボトルの胴部外表面に突出することがないので、他の物品に引っ掛かったり突き当たったりすることがなく、これによりポンプ付きボトルの、安全で良好な取り扱いを得ることができる。
【００２９】
収納凹部に水などが溜まる恐れがないので、衛生的な使用状態を、自然に維持することができる。
【００３０】
破断線を、残存したラベルにより延長ノズル片を保持させる構造としたものにあっては、使用後の延長ノズル片を、ボトルの胴部外表面から突出させることなく、一体的に収納保持することになるので、繰り返し使用する延長ノズル片の収納保持を、ポンプ付きボトルの優れた取扱い状態を維持して達成することができる。
【００３１】
収納凹部を、上端を上方に開放した縦長溝状としたものにあっては、この収納凹部の上端開放部を、収納凹部に対する延長ノズル片の出し入れ口として機能させることができるので、収納凹部からの、延長ノズル片の繰り返し使用のための出し入れが、行い易い。
【００３２】
収納凹部を、両側に取出し用凹部を有する構造としたものにあっては、取出し用凹部に指先を侵入させて、収納凹部内の延長ノズル片を摘むことにより、収納凹部内から延長ノズル片を取出すので、収納凹部からの延長ノズル片の妄りな脱落がなく、延長ノズル片の安全な取り扱いを得ることができる。
【００３３】
ラベルをシュリンクラベルとし、ボトルの口筒部に設けたネックリングから胴部下端の縮径部までの範囲に貼着したものにあっては、ボトルの胴部外表面形状に影響されることなく、収納凹部に延長ノズル片を、安定して収納保持することができるので、ポンプ付きボトルの取扱いが、さらに良好となる。
【００３４】
ラベルをラベルシールとし、収納凹部の全域を覆って接着固定したものにあっては、ボトルの胴部外表面に対する、ラベルの装着範囲を自由に設定することができるので、ボトルの胴部に設けた構成部分を、無理なく適正に機能させることができる。
【発明を実施するための最良の形態】
【００３５】
以下、本発明の実施形態を、図面を参照しながら説明する。
【００３６】
図１は、本発明によるポンプ付きボトルの、ラベル１６であるシュリンクラベルの一部を不規則破断した全体側面図、図２は、背面図、図３は、ラベル１６の一部を破断した平面図、そして図４は、底面図である。
【００３７】
ボトル１は、合成樹脂製のブロー成形品で、外周面下端部にネックリング３を周設した口筒部２の下端に、拡径した肩部を介して、下端を底部で塞いだ胴部４を連設し、この胴部４の外表面に、縦溝状の収納凹部５と、この収納凹部５の下端に連続して底部８まで延びた浅い流下溝７を陥没設して構成されている。
【００３８】
このボトル１の口筒部２には、この口筒部２に外装して螺合する組付きキャップ１２により、押し下げヘッドであるノズルヘッド１３を有するポンプ１１が組付けられており、このポンプ１１のノズルヘッド１３には、横方向にノズル口１４を開口したノズルが、胴部４の外表面の仮想される延長面から外に出ない長さで、設けられている。
【００３９】
ボトル１に設けられた収納凹部５には、ポンプ１１のノズル口１４に着脱される延長ノズル片１５が、出し入れ自在に収納されており、この延長ノズル片１５は、筒状に構成され、そのノズル口１４に嵌入組付けされる基端部（図１において上端部）は、小径に成形されていると共に、外周面に複数のシール条が設けられている。
【００４０】
この延長ノズル片１５は、収納凹部５内に、外方に突出することなく収納保持されるが、延長ノズル片１５の寸法は、内容液の使用状況に従って設定されるものなので、収納凹部５を、要求される寸法の延長ノズル片１５に合わせて成形することになる。
【００４１】
ラベル１６は、収納凹部５の開口部全域を覆うように張設状に設けられるが、流下溝７に対しても張設状に設けられ、この流下溝７を塞ぐことがないようにしており、さらに収納凹部５の上側部分を覆っている部分を含めた上端部分には、このラベル１６部分を除去して収納凹部５を開放するための破断線としてのミシン目１７が設けられている。
【００４２】
このラベル１６のミシン目１７は、このミシン目１７に沿ってラベル１６の一部を除去した後、残ったラベル１６部分が、収納凹部５に挿入された延長ノズル片１５を保持することができる形状および範囲に設定されている。
【００４３】
流下溝７は、収納凹部５の下端に連通した状態で、ボトル１の底部８に達する位置まで設けられているが、図示実施例の場合、中央部を陥没させた底部８の脚部９を横断する構造で設けられた底溝１０に下端を連通させており、これによりラベル１６に邪魔されることなく、収納凹部５の下方への開放を確実に達成している。
【００４４】
図５は、ラベル１６としてシュリンクラベルを使用した場合の外観を示すもので、ラベル１６としてのシュリンクラベルは、ボトル１のネックリング３から胴部４下端の縮径部までの範囲を覆って設けられており、ミシン目１７は、ラベル１６の上端縁から、上端を開放した縦溝状に構成されている収納凹部５の上側部分に対向する部分まで形成されている。
【００４５】
図６は、ラベル１６としてラベルシール、例えば短冊状に成形されたラベルシールを使用した場合の外観を示すもので、ラベル１６としてのラベルシールは、ボトル１の口筒部２下端縁から流下溝７の上端部に対向する位置までの範囲に亘って、収納凹部５を完全に覆って接着固定されており、ミシン目１７は、上端を開放した縦溝状に構成されている収納凹部５の上側部分に対向する位置を横断する形態で形成されている。
【００４６】
このラベル１６としてラベルシールを使用した場合には、ボトル１に対するラベル１６の組付きを接着により達成するのであるが、収納凹部５に収納されている延長ノズル片１５に対しては接着しないようにされており、またミシン目１７に沿った一部除去作業を行い易くするため、その接着状態を、易剥離性としておくのが有利である。
【００４７】
図７は、収納凹部５を、両側に取出し用凹部６を有する縦長凹部構造に構成したボトル１に、ラベル１６としてシュリンクラベルを組付けた場合の外観を示すもので、ラベル１６としてのシュリンクラベルは、ボトル１のネックリング３から胴部４下端の縮径部までの範囲を覆って設けられており、ミシン目１７は、ラベル１６の上端縁から、収納凹部５の取出し用凹部６の下側部分まで形成されている。
【００４８】
図８は、収納凹部５を、縦長凹部構造に構成したボトル１に、ラベル１６としてラベルシールを組付けた場合の外観を示すもので、ラベル１６としてラベルシールは、収納凹部５全域と流下溝７の一部を覆って設けられており、延長ノズル片１５には、収納凹部５からの取出しのための突片が設けられている。
【００４９】
図９は、図８に示した実施形態例において、収納凹部５を斜めに形成したもので、収納凹部５を斜め構造とすることにより、長さの大きい延長ノズル片１５の収納が可能となる。
【００５０】
なお、図示実施例にあっては、ボトル１は角型となっているが、これに限定されることはなく、丸型や楕円型、さらには多角型であっても良い。
【産業上の利用可能性】
【００５１】
以上説明したように、本発明のポンプ付きボトルは、必要に応じて着脱使用される延長ノズル片を、安全にかつ取り扱いし易い状態で、ボトルと一体的に収納保持できるものであり、着脱使用される付属部品を本体部分に一体的に付属させる技術として、幅広い利用展開が期待できる。
【図面の簡単な説明】
【００５２】
【図１】本発明の一実施形態例を示す、一部破断した全体側面図である。
【図２】図１に示した実施形態例の、全体背面図である。
【図３】図１に示した実施形態例の、全体平面図である。
【図４】図１に示した実施形態例の、全体底面図である。
【図５】本発明の第一実施形態例を示す、外観斜視図である。
【図６】本発明の第二実施形態例を示す、外観斜視図である。
【図７】本発明の第三実施形態例を示す、外観斜視図である。
【図８】本発明の第四実施形態例を示す、外観斜視図である。
【図９】本発明の第五実施形態例を示す、外観斜視図である。
【符号の説明】
【００５３】
１  ；ボトル
２  ；口筒部
３  ；ネックリング
４  ；胴部
５  ；収納凹部
６  ；取出し用凹部
７  ；流下溝
８  ；底部
９  ；脚部
１０；底溝
１１；ポンプ
１２；組付きキャップ
１３；ノズルヘッド
１４；ノズル口
１５；延長ノズル片
１６；ラベル
１７；ミシン目
【図１】
2010105720.tif 000003
【図２】
2010105720.tif 000004
【図３】
2010105720.tif 000005
【図４】
2010105720.tif 000006
【図５】
2010105720.tif 000007
【図６】
2010105720.tif 000008
【図７】
2010105720.tif 000009
【図８】
2010105720.tif 000010
【図９】
2010105720.tif 000011